(57)【特許請求の範囲】
【請求項１】
通信回線を通じて圧縮符号化された信号を送受する通信手段と、該通信手段により受信される圧縮符号化された信号を符号解読・伸張しデジタル音声信号およびデジタル映像信号を出力し、一方、該通信手段により送信すべきデジタル音声信号およびデジタル映像信号を圧縮・符号化するデータプロセッサ手段と、該データプロセッサ手段により得られるデジタル音声信号にＤ／Ａ変換を含む処理を行いアナログ音声出力信号として出力し、一方、利用端音声入力手段により得られるアナログ入力音声信号にＡ／Ｄ変換を含む処理を行いデジタル入力音声信号として前記データプロセッサ手段に出力する音声信号処理手段と、該アナログ音声出力信号を音声等の利用形態に変換する利用端音声信号出力手段と、前記データプロセッサ手段により得られるデジタル映像信号を画面表示するための信号処理を行いＤ／Ａ変換を行ってアナログ映像信号として出力し、また、撮像手段としてのカメラ等の利用端画像入力手段からのアナログ映像入力信号にＡ／Ｄ変換を行って前記データプロセッサ手段に出力する際の信号処理を行いデジタル映像信号として出力し、さらに、前記利用端画像入力手段からのアナログ映像入力信号にＡ／Ｄ変換を行って画面表示するための信号処理を行いＤ／Ａ変換を行ってアナログ映像信号として出力する映像信号処理手段と、該映像信号処理手段により得られるアナログ映像信号を画面表示等にて出力する利用端映像信号出力手段とを備えたＴＶ電話において、
前記利用端画像入力手段による撮影画像を最適化するための調整手段を操作する操作機構と、該操作機構が操作状態にあることを検出するセンサを備え、
前記利用端画像入力手段から得られるアナログ映像入力信号を前記映像信号処理手段で処理した後、前記利用端映像信号出力手段に入力する第１の信号経路と、前記利用端画像入力手段から得られる元のアナログ映像信号のまま直接に前記利用端映像信号出力手段に入力する第２の信号経路とを切り替える信号経路切り換え手段を備え、
前記センサからの検出信号に基づいて前記信号経路切り換え手段の動作を第１の信号経路から第２の信号経路に切替える制御手段を備えることを特徴とするＴＶ電話。
【請求項２】
通信回線を通じて圧縮符号化された信号を送受する通信手段と、該通信手段により受信される圧縮符号化された信号を符号解読・伸張しデジタル音声信号およびデジタル映像信号を出力し、一方、該通信手段により送信すべきデジタル音声信号およびデジタル映像信号を圧縮・符号化するデータプロセッサ手段と、該データプロセッサ手段により得られるデジタル音声信号にＤ／Ａ変換を含む処理を行いアナログ音声出力信号として出力し、一方、利用端音声入力手段により得られるアナログ入力音声信号にＡ／Ｄ変換を含む処理を行いデジタル入力音声信号として前記データプロセッサ手段に出力する音声信号処理手段と、該アナログ音声出力信号を音声等の利用形態に変換する利用端音声信号出力手段と、前記データプロセッサ手段により得られるデジタル映像信号を画面表示するための信号処理を行いＤ／Ａ変換を行ってアナログ映像信号として出力し、また、撮像手段としてのカメラ等の利用端画像入力手段からのアナログ映像入力信号にＡ／Ｄ変換を行って前記データプロセッサ手段に出力する際の信号処理を行いデジタル映像信号として出力し、さらに、前記利用端画像入力手段からのアナログ映像入力信号にＡ／Ｄ変換を行って画面表示するための信号処理を行いＤ／Ａ変換を行ってアナログ映像信号として出力する映像信号処理手段と、該映像信号処理手段により得られるアナログ映像信号を画面表示等にて出力する利用端映像信号出力手段とを備えたＴＶ電話において、
前記利用端画像入力手段による撮影画像を最適化するための調整手段を操作する操作機構と、該操作機構が操作状態にあることを検出するセンサを備え、
前記利用端画像入力手段から得られるアナログ映像入力信号を前記映像信号処理手段で処理した後、前記利用端映像信号出力手段に入力する第１の信号経路と、前記映像信号処理手段により行われる処理に含まれるものの中Ａ／Ｄ変換とＤ／Ａ変換処理のみを用い、該Ａ／Ｄ変換により得られるデジタル映像信号を直接に該Ｄ／Ａ変換し得られるアナログ映像信号を前記利用端映像信号出力手段に入力する第２の信号経路とを切り替える信号経路切り換え手段を備え、
前記センサからの検出信号に基づいて前記信号経路切り換え手段の動作を第１の信号経路から第２の信号経路に切替える制御手段を備えることを特徴とするＴＶ電話。
【請求項３】
請求項１又は２に記載のＴＶ電話において、
前記センサとして圧力センサを用い、該圧力センサを前記操作機構において外部から操作が加えられる部位に設けることを特徴とするＴＶ電話。
【請求項４】
請求項１又は２に記載のＴＶ電話において、
前記センサとして静電センサを用い、該静電センサを前記操作機構において外部から操作が加えられる部位に設けることを特徴とするＴＶ電話。
【請求項５】
請求項１から４のいずれか１記載のＴＶ電話において、
前記センサからの検出信号が無くなっても前記信号経路切り換え手段の動作状態を前記センサからの検出信号がある時の動作状態に一定時間保持させる手段を前記制御手段に付加することを特徴とするＴＶ電話。
【請求項６】
請求項１から５のいずれか１記載のＴＶ電話において、
前記信号経路切り替え手段によって選択されている信号経路を外部に対し提示する提示手段を備えることを特徴とするＴＶ電話。
【請求項７】
請求項２から６のいずれか１記載のＴＶ電話において、
前記Ａ／Ｄ変換およびＤ／Ａ変換の各処理において、その変換レートを変更し得るものとするとともに、
前記信号経路切り替え手段により選択される前記利用端映像信号出力手段に入力する映像信号の信号経路に従って、用いる変換レートを変更することを特徴とするＴＶ電話。
【発明の詳細な説明】
【０００１】
【発明の属する技術分野】
本発明は、音声と映像の両方の通信が可能なＴＶ電話に関し、より詳細には、自端末でカメラなどの画像入力手段により生成する映像を調整する時にそのモニターとして用いる表示画像の性能を上げるようにした当該ＴＶ電話に関する。
【０００２】
【従来の技術】
図４は、従来のＴＶ電話端末の１例についてその信号処理回路の概要を示すブロック図を、図５は、この従来例の装置の外観図を示す。なお、図４と図５との間において、対応する構成要素については同じ参照番号が付されている。
以下、図４に基づきこの従来例を説明する。
図４において、端子ａは通信回線に接続される。信号は端子ａから通信回線インタフェイス（Ｉ／Ｆ）１を通して入出力される。通信回線Ｉ／Ｆ１は、ＩＳＤＮであればＩＴＵ−Ｔ勧告Ｉ.４３０等の規格に従い、データフレームを構成し信号の送受信を行う。また、ＧＳＴＮであればモデム（ＭＯＤＥＭ）の動作を行う。
データプロセッサ２は、高速のＤＳＰやマイクロプロセッサなどで構成される。通信回線Ｉ／Ｆ１により送受される信号は、データプロセッサ２により圧縮符号化、伸長復号、符号解読などの演算処理が行なわれ、デジタル音声信号とデジタルビデオ信号を入出力する。
【０００３】
デジタル音声信号は、音声信号処理回路３に入出力される。音声信号処理回路３は、符号を解読し得られたデジタル音声信号を例えばｕ−Ｌａｗ信号として処理され、さらに音声Ｄ／Ａ変換器４にてアナログ音声出力信号に変換された後これを駆動信号としてスピーカ５が動作される。
さらに、マイクロフォン６に入力されたアナログ音声入力信号は、音声Ａ／Ｄ変換器４を通してデジタル音声入力信号に変換され、データプロセッサ２により通信効率の良い圧縮符号化演算処理を施され、通信回線Ｉ／Ｆ１より送信される。
【０００４】
デジタル映像信号或いはデジタル映像データは、映像信号処理回路９に入出力される。
入力の１つは、通信回線Ｉ／Ｆ１を通して受信された受信信号で、これはデータプロセッサ２により符号化解読がなされたデジタル映像データは、映像（ビデオ）信号処理回路９にてデジタル映像出力信号に変換され、さらに映像Ｄ／Ａ変換器１０にてアナログ映像出力信号に変換され、映像表示装置１１に映像として表示される。
もう１つの入力は、カメラ７にて撮像された映像信号からのもので、これはカメラ７からの出力映像信号をアナログ映像入力信号として映像Ａ／Ｄ変換器８にてデジタル映像入力信号に変換され、映像信号処理回路９にて信号処理され、得たデジタル映像データをデータプロセッサ２にて伝送効率を良くするために圧縮符号化を行った後、通信回線Ｉ／Ｆ１を経て送信される。
【０００５】
【発明が解決しようとする課題】
上記従来例の説明に示すように、従来のＴＶ電話において、カメラにて撮像されたデータは一端アナログ信号からデジタル信号に変換され通信の効率化の為に様々な演算処理が施されるものである。この場合に行われる処理は、近年のマイクロプロセッサやＤＳＰの処理能力の向上は日進月歩であるとはいうものの、それでもＴＶと同様なリアルタイムな画像表示は困難である。つまり、カメラで撮像した映像を処理し処理後の映像デーがから復元される表示画像は駒送りのようになってしまう。
【０００６】
さらに、通信時は図５に示すように、自画像を子画面に相手画像を親画面に表示する場合が多い。この場合に、自画像は、デジタル処理された小さな画像が表示されることになる。
この様な状態で表示された画面をモニターしながら操作者が、より鮮明な映像を送ろうとしてカメラのピントを合わせようとしても、駒送りでしかも小さな画像ではピント合わせは困難を極める。なお、画像にこうしたコマ送りの状態が生じるのは、画像処理における処理能力、Ａ／Ｄ，Ｄ／Ａ変換速度に依存している。
【０００７】
本発明は、上述の従来技術の問題点に鑑みてなされたものであって、操作者がカメラのピント合わせを行う場合に、リアルタイムでカメラの撮像画像を直接モニターし得るようにし、また、操作者がカメラのピント合わせを行おうとした動作に合わせて、モニター画像として上記のリアルタイムでカメラの撮像画像を直接表示する映像信号に切り替える手段を備えるようにするＴＶ電話を提供することをその目的とする。
【０００８】
【課題を解決するための手段】
本発明はこうした課題を解決するために、操作者がカメラのピント合わせを行おうとした場合に、カメラの回転式のピント合わせのダイヤルを手にしたことを、圧力センサーや静電センサー等にて検出し、この検出結果からカメラからの映像信号の経路を切り替えることにより直接カメラの映像出力を表示装置に接続する。
こうすることにより、伝送される画像のコマ送りの状態でモニターすることをなくすことができる。というのは、映像処理の処理能力は、伝送を行う場合は画像の加工を行う複雑な処理を行うために費やされるが、自端末に表示するためには、この処理は不要であるからこれを行わず、カメラ映像を直接表示することにより、より高速な表示能力を持てる。そこで、これに合わせてＡ／Ｄ，Ｄ／Ａ変換速度を上げることにより、より多くの画像を取り込み表示することが可能となるからである。
上記した手段を動作させることにより、カメラのピント調節時は自動的に、リアルタイムで親画面にフルサイズで表示された自画像に切り替わり、カメラのピント合わせが容易になる。
さらに、映像はタイマーを用いてカメラからの映像信号の経路の切り替えを一定期間保持させることにより、頻繁に画像が切り替わることなしに適切にピント合わせが可能である。
【０００９】
本発明の第１の技術手段は、通信回線を通じて圧縮符号化された信号を送受する通信手段と、該通信手段により受信される圧縮符号化された信号を符号解読・伸張しデジタル音声信号およびデジタル映像信号を出力し、一方、該通信手段により送信すべきデジタル音声信号およびデジタル映像信号を圧縮・符号化するデータプロセッサ手段と、該データプロセッサ手段により得られるデジタル音声信号にＤ／Ａ変換を含む処理を行いアナログ音声出力信号として出力し、一方、利用端音声入力手段により得られるアナログ入力音声信号にＡ／Ｄ変換を含む処理を行いデジタル入力音声信号として前記データプロセッサ手段に出力する音声信号処理手段と、該アナログ音声出力信号を音声等の利用形態に変換する利用端音声信号出力手段と、前記データプロセッサ手段により得られるデジタル映像信号を画面表示するための信号処理を行いＤ／Ａ変換を行ってアナログ映像信号として出力し、また、撮像手段としてのカメラ等の利用端画像入力手段からのアナログ映像入力信号にＡ／Ｄ変換を行って前記データプロセッサ手段に出力する際の信号処理を行いデジタル映像信号として出力し、さらに、前記利用端画像入力手段からのアナログ映像入力信号にＡ／Ｄ変換を行って画面表示するための信号処理を行いＤ／Ａ変換を行ってアナログ映像信号として出力する映像信号処理手段と、該映像信号処理手段により得られるアナログ映像信号を画面表示等にて出力する利用端映像信号出力手段とを備えたＴＶ電話において、前記利用端画像入力手段による撮影画像を最適化するための調整手段を操作する操作機構と、該操作機構が操作状態にあることを検出するセンサを備え、前記利用端画像入力手段から得られるアナログ映像入力信号を前記映像信号処理手段で処理した後、前記利用端映像信号出力手段に入力する第１の信号経路と、前記利用端画像入力手段から得られる元のアナログ映像信号のまま直接に前記利用端映像信号出力手段に入力する第２の信号経路とを切り替える信号経路切り換え手段を備え、前記センサからの検出信号に基づいて前記信号経路切り換え手段の動作を第１の信号経路から第２の信号経路に切替える制御手段を備えることを特徴としたものである。
【００１０】
第２の技術手段は、通信回線を通じて圧縮符号化された信号を送受する通信手段と、該通信手段により受信される圧縮符号化された信号を符号解読・伸張しデジタル音声信号およびデジタル映像信号を出力し、一方、該通信手段により送信すべきデジタル音声信号およびデジタル映像信号を圧縮・符号化するデータプロセッサ手段と、該データプロセッサ手段により得られるデジタル音声信号にＤ／Ａ変換を含む処理を行いアナログ音声出力信号として出力し、一方、利用端音声入力手段により得られるアナログ入力音声信号にＡ／Ｄ変換を含む処理を行いデジタル入力音声信号として前記データプロセッサ手段に出力する音声信号処理手段と、該アナログ音声出力信号を音声等の利用形態に変換する利用端音声信号出力手段と、前記データプロセッサ手段により得られるデジタル映像信号を画面表示するための信号処理を行いＤ／Ａ変換を行ってアナログ映像信号として出力し、また、撮像手段としてのカメラ等の利用端画像入力手段からのアナログ映像入力信号にＡ／Ｄ変換を行って前記データプロセッサ手段に出力する際の信号処理を行いデジタル映像信号として出力し、さらに、前記利用端画像入力手段からのアナログ映像入力信号にＡ／Ｄ変換を行って画面表示するための信号処理を行いＤ／Ａ変換を行ってアナログ映像信号として出力する映像信号処理手段と、該映像信号処理手段により得られるアナログ映像信号を画面表示等にて出力する利用端映像信号出力手段とを備えたＴＶ電話において、前記利用端画像入力手段による撮影画像を最適化するための調整手段を操作する操作機構と、該操作機構が操作状態にあることを検出するセンサを備え、前記利用端画像入力手段から得られるアナログ映像入力信号を前記映像信号処理手段で処理した後、前記利用端映像信号出力手段に入力する第１の信号経路と、前記映像信号処理手段により行われる処理に含まれるものの中Ａ／Ｄ変換とＤ／Ａ変換処理のみを用い、該Ａ／Ｄ変換により得られるデジタル映像信号を直接に該Ｄ／Ａ変換し得られるアナログ映像信号を前記利用端映像信号出力手段に入力する第２の信号経路とを切り替える信号経路切り換え手段を備え、前記センサからの検出信号に基づいて前記信号経路切り換え手段の動作を第１の信号経路から第２の信号経路に切替える制御手段を備えることを特徴としたものである。
【００１２】
第３の技術手段は、前記センサとして圧力センサを用い、該圧力センサを前記操作機構において外部から操作が加えられる部位に設けることを特徴としたものである。
【００１３】
第４の技術手段は、前記センサとして静電センサを用い、該静電センサを前記操作機構において外部から操作が加えられる部位に設けることを特徴としたものである。
【００１４】
第５の技術手段は、前記センサからの検出信号が無くなっても前記信号経路切り換え手段の動作状態を前記センサからの検出信号がある時の動作状態に一定時間保持させる手段を前記制御手段に付加することを特徴としたものである。
【００１５】
第６の技術手段は、前記信号経路切り替え手段によって選択されている信号経路を外部に対し提示する提示手段を備えることを特徴としたものである。
【００１６】
第７の技術手段は、前記Ａ／Ｄ変換およびＤ／Ａ変換の各処理において、その変換レートを変更し得るものとするとともに、前記信号経路切り替え手段により選択される前記利用端映像信号出力手段に入力する映像信号の信号経路に従って、用いる変換レートを変更することを特徴としたものである。
【００１７】
【発明の実施の形態】
以下、本発明によるＴＶ電話の実施の形態を添付する画面に基づいて説明する。
図１は、本発明によるＴＶ電話の第一の実施形態についてその信号処理回路の概要を示すブロック図を示す。なお、上記従来例（図４）と同じ構成要素については、同じ参照番号や呼称を用い、その説明については従来例を引用することにし、新規な部分のみ説明する。
上記従来例と異なるのはカメラ部で、カメラのピント合わせ操作に使用する撮像映像のモニター表示部分に関するところにある。
図１において、１２はカメラのピント合わせ機構であり、手動で回転することにより最適なピントが得られるようになっている。１３はピント合わせ機構１２の回転機構部に備えられた圧力もしくは静電センサであり、操作者が回転機構部を操作している間、検出信号を出力するものである。
実際のセンサは、圧力センサの場合、回転機構部にかかる圧力を検出する為、例えば図２に示すように、カメラ７のピント合わせ機構１２の回転機構部１２Ｐの周囲にベルト状に圧力感知部１３Ｓが備えられる。センサの圧力感知部１３Ｓは操作者が圧迫してもカメラの中心線がずれることなく調整可能となるように柔軟性をもたせ圧力の感知部材を構成する。
静電センサの場合は、このような機構をとる必要はなく、接触により感知する方式であれば、この調整用の回転機構そのものをセンサ部とすることができる。
【００１８】
次に、本実施の形態を特徴づける要素としての映像切り替えスイッチ（ＳＷ）１６の動作について説明する。
ＳＷ制御装置１４は圧力センサ１３からの検出信号がＯＮの間、つまり操作者がピント調整をしている時に、映像切り替えＳＷ１６を制御するＳＷ制御信号をＯＮにする。
さらに、圧力センサ１３からの検出信号が途絶えてからタイマ１５がカウントする一定時間（：Ｔ）の間はＳＷ制御信号をＯＮにし、カウント終了（Ｔ時間後）後ＯＦＦにする。
以下、表１において、ＳＷ制御信号によりスイッチ端子の切り替えがおこなわれる映像切り替えＳＷ１６の状態とその時に選択される映像表示結果を示すことにより映像切り替えの動作が説明されている。
【００１９】
【表１】
0003976409.tif 000002
【００２０】
表１において、ＳＷ制御信号がＯＦＦ（ピント調整をしていない状態）であり、端子ｂ−ｄがＯＮである時には、映像Ｄ／Ａ変換器１０から変換処理を行い得たアナログ映像信号が端子ｂ−ｄを通して映像表示装置１１に導かれリアルタイムでない、駒送りのような映像が表示される。
ＳＷ制御信号がＯＮ（ピント調整をしている状態）であり、端子ｃ−ｄがＯＮである時には、カメラ７から得られるアナログ映像入力信号が端子ｃ−ｄを通して直接に映像表示装置１１に導かれ、リアルタイムな映像が表示される。
【００２１】
タイマ１５は、圧力センサ１３の検出信号がＯＮからＯＦＦに変化した時から始動し、あらかじめ設定された時間（：Ｔ）をカウントするもので、そのカウント中においてはＳＷ制御信号をＯＮの状態に保ち、カウント終了後にそれをＯＦＦにする動作を行うために用いられる。
また、映像切り替え表示装置９０は、ＳＷ制御信号のＯＮ／ＯＦＦに従ってその信号の状態の表示を行うＬＥＤである。この場合に、信号の状態を表示する方法として、従来のＴＶ放送受信機のスーパーインポーズ技術によるものを応用して映像表示装置１１に映し出すことも可能である。
【００２２】
図３は、本発明によるＴＶ電話の第２の実施形態についてその信号処理回路の概要を示すブロック図を示す。なお、第１の実施形態（図１）および従来例（図４）と同じ構成要素については、同じ参照番号や呼称を用い、その説明については従来例および第１の実施形態における説明を引用することにし、新規な部分のみを記す。
また、上記第１の実施形態と異なるのは、映像切り替えスイッチを映像Ａ／Ｄ変換後、映像Ｄ／Ａ変換前に置いたこと、さらにかかる映像Ａ／Ｄ、映像Ｄ／Ａの各変換において、その変換速度をＳＷ制御信号によって制御するようにしていることにある。
【００２３】
第２の実施形態の場合に、カメラ７のピント調整時にも、このＴＶ電話の通常の通話動作において用いられると同じ変換処理過程、つまり、カメラ７から入力され伝送される映像信号に対し行われる映像信号処理回路９による処理前に用いる映像Ａ／Ｄ変換器８、処理後に用いる映像Ｄ／Ａ変換器１０による変換過程を通しており、この変換処理過程を経て得られる映像信号によってピント調整用の画像表示を行っている。かかる変換過程をとおすか通さないかが、第１の実施形態との違いである。
【００２４】
従って、第２の実施形態では、通話のために用いる伝送映像信号でピント調整のモニター画像を表示することが出来ることを意味する。つまり、第２の実施形態では、第１の実施形態のように信号経路をバイパスするのではなく、信号処理の内容を変更するもので、重い演算処理をすることなく、映像Ａ／Ｄ変換器８と映像Ｄ／Ａ変換器１０のみを用いて、映像信号処理回路９に負担をかけずに、カメラ７からの出力映像信号をデジタル映像としてコマ送りを生じさせずにモニター画像を表示することが出来る。
こうした利点をより有効化するために、ＴＶ電話の通常の通話動作とピント調整動作のモード間における動作の違いがある場合に、この違いに対応する手段が求められる。
この動作の相違は、変換速度にあり、映像Ａ／Ｄ変換器８、映像Ｄ／Ａ変換器１０の変換速度を制御して両動作モードに応じてより適した変換速度を選ぶ。こうすることにより、両モードにおいて、モニターとして適切な画像を提供することが可能となる。また、装置構成上もこれらの機能を実現するために構成要素に格別の付加的手段や負担を要することがない。
【００２５】
また、上記した各実施形態においては、切り替えをスイッチにて実現しているが、スイッチ，映像信号処理回路などをＤＳＰにてプログラム処理することも可能であり、この場合はスイッチは、プログラムに、映像信号処理を行うルーチンの代わりに、デジタル映像入力信号をデジタル映像出力信号として直接データ転送するルーチンを呼び出すプログラムスイッチとして実現できる。
【００２６】
【発明の効果】
上記にて説明された本発明により以下の効果がもたらされる。
本発明によって、表示される映像入力が選択されることになり、カメラのピント調節を行う時に表示される画像は、通話時の駒数の少ない通常の画面と違いリアルタイムに画面が更新され、かつ親画面一杯に大きな自画像に切り替わることになり、使用者によるカメラのピント合わせが容易になる。
【００２７】
また、操作者がピント合わせをする際の操作部位にセンサを設けその検出信号によりモニター画面の映像の切り替えを自動的に行うようにしたことにより、より利便性が向上する。
さらに、操作者がピント合わせをする際、ピントのダイヤルに頻繁にさわることになるが、センサの検出と信号の切り替えを、タイマにより一定期間保持することにより、画像が頻繁に切り替わることがなくなるので、適切なピント合わせを容易に行うことが可能となる。
【００２８】
また、映像の入出力速度を通話時と調整時で選択できるので両動作モードに応じてより適した変換速度を選ぶことにより、調整時コマ送りでないより自然な画像を得ることができ両モードのモニターとして適切な画像を提供することが可能となり、これらの機能を実現するために装置構成上においても構成要素に格別の付加的手段や負担を要することがない。
【００２９】
また、映像表示がピント調節用か通話用いずれの表示を行っているかを示す切り替え表示手段の動作状態の表示手段を持つので、現在の表示画像が何であるかをユーザが容易に判別できる。
また、スイッチ機能に変えて、プログラムにより行うようにすると、安価にこの機能を実現できる。
【図面の簡単な説明】
【図１】本発明によるＴＶ電話の第１の実施形態についてその信号処理回路の概要を示すブロック図である。
【図２】本発明によるＴＶ電話の構成要素であるカメラ部のセンサの１実施形態を示す概略図である。
【図３】本発明によるＴＶ電話の第２の実施形態についてその信号処理回路の概要を示すブロック図である。
【図４】従来のＴＶ電話端末の１例についてその信号処理回路の概要を示すブロック図である。
【図５】従来のＴＶ電話端末装置の外観図を示す。
【符号の説明】
１…通信回線Ｉ／Ｆ、２…データプロセッサ、３…音声信号処理回路、
４…音声Ａ／Ｄ，Ｄ／Ａ変換器、５…スピーカ、６…マイクロフォン、
７…カメラ、８…映像Ａ／Ｄ変換器、９…映像信号処理回路、１０…映像Ｄ／Ａ変換器、１１…映像表示装置、１２…ピント合わせ機構、１２Ｐ…回転機構部、１３…圧力／静電センサ、１３Ｓ…センサの圧力感知部、
１４…ＳＷ制御装置、１５…タイマ、１６…映像切り替えＳＷ、
９０…映像切り替え表示装置。
【図１】
0003976409.tif 000003
【図２】
0003976409.tif 000004
【図３】
0003976409.tif 000005
【図４】
0003976409.tif 000006
【図５】
0003976409.tif 000007